(57)【要約】【課題】間仕切りを組立てた後に、部分的にパネルを容易且つ迅速に脱着し得るようにする。【解決手段】パネルＰの幅端部をフランジ４ａとウエブ４ｂにより形成されたパネル挿入部２１に挿入して隣合うパネルＰを連結し得るようにした横断面形状がＨ形状の連結部材４において、連結部材４のフランジ４ａには、横断面視で、ウエブ４ｂと略平行なボルト２２をパネルＰの幅端部に当接或は近接し得るよう、着脱可能に取付け、取外すべきパネルＰに対し当接或は近接するボルト２２に対しウエブ４ｂを挟んで配設されたボルト２２を取外した際には、ボルト２２を取外した側の隣合うパネルＰの幅端部と当該連結部材４のウエブ４ｂとの間に、連結部材４のずらし代Ｓ１が形成されるよう構成する。【選択図】図９
2005042427.tif 000002
【特許請求の範囲】
【請求項１】
パネルの幅端部をフランジとウエブにより形成されたパネル挿入部に挿入して隣合うパネルを連結し得るようにした横断面形状がＨ形状の連結部材において、該連結部材のフランジには、横断面視で前記ウエブと略平行な方向へ脱着可能なスペーサ部材を取付けて前記パネルの幅端部をパネル挿入部に挿入した際に、パネルの幅端部が前記スペーサ部材に当接或は近接し得るよう構成し、取外すべきパネルの幅端部が当接或は近接するように配置したスペーサ部材以外のスペーサ部材を取外した際には、該スペーサ部材を取外した連結部材におけるウエブとパネルの幅端部との間に、連結部材のずらし代が形成されるよう構成したことを特徴とする連結部材構造。
【請求項２】
パネルの幅端部をフランジとウエブにより形成されたパネル挿入部に挿入して隣合うパネルを連結し得るようにした横断面形状がＨ形状の連結部材において、該連結部材のフランジには、横断面視で前記ウエブと略平行な方向へ脱着可能なスペーサ部材を取付けて前記パネルの幅端部をパネル挿入部に挿入した際に、パネルの幅端部が前記スペーサ部材に当接或は近接し得るよう構成し、取外すべきパネルの幅端部が当接或は近接するように配置したスペーサ部材に対し連結部材のウエブを挟んで配置されたスペーサ部材を取外した際には、該スペーサ部材を取外した連結部材におけるウエブとパネルの幅端部との間に、連結部材のずらし代が形成されるよう構成したことを特徴とする連結部材構造。
【請求項３】
上下に分割された複数のパネルの上下端部をフランジとウエブにより形成されたパネル挿入部に挿入して上下に配置されたパネルを連結し得るようにした縦断面形状がＨ形状の連結部材において、該連結部材のフランジには、縦断面視で前記ウエブと略平行な方向へ脱着可能なスペーサ部材を取付けて前記パネルの上下端部をパネル挿入部に挿入した際に、パネルの上下端部が前記スペーサ部材に当接或は近接し得るよう構成し、取外すべき中間のパネルの上下端部が当接或は近接するように配置したスペーサ部材に対し連結部材のウエブを挟んで配置されたスペーサ部材を取外した際には、該スペーサ部材を取外した連結部材におけるウエブと上部のパネルの下端部及び下部のパネルの上端部との間に、連結部材のずらし代が形成されるよう構成した請求項１又は２に記載の連結部材構造。
【請求項４】
上下に複数に分割されたパネルの幅方向両側に位置する横断面がＨ形状の連結部材を、分割されたパネルの数量に合わせて上下に複数に分割した請求項３に記載の連結部材構造。
【請求項５】
パネルと該パネルに対し隣合うパネルを連結する、請求項１又は２に記載の連結部材構造を備えたことを特徴とする間仕切り構造。
【請求項６】
パネルと該パネルに対し上下に配置されたパネルを連結する、請求項３又は４に記載の連結部材構造を備えたことを特徴とする間仕切り構造。
【請求項７】
パネルの上端部を支持するよう長手方向へ延在する間仕切り用天井側支持部材を備え、該間仕切り用天井側支持部材は、天井側に固定されると共に、パネルの厚さ方向両側に、下端にパネル面側に向けて曲折された曲折部を備えた壁部を備え、壁部間に形成されたパネル挿入部にパネルの上端を挿入した際に、前記曲折部によりパネルの上端部を押圧、挟持し得るよう構成した請求項５又は６に記載の間仕切り構造。
【請求項８】
パネルの下端部を支持するよう長手方向へ所定の間隔で分割された複数の間仕切り用床側支持部材を備え、
該間仕切り用床側支持部材は、
固定用床側支持部材と挿入用床側支持部材を備え、
固定用床側支持部材は、
床側に固定されると共に上端にパネル面側に向けて曲折された曲折部を有する壁部と、パネルの下端を支持するようにしたパネル下端部支持部材を備え、
挿入用床側支持部材は、
上端にパネル面側に向けて曲折されて挿入用床側支持部材の固定用床側支持部材に対する挿入時に、固定用床側支持部材の壁部の曲折部と協働してパネルを押圧、挟持し得るようにした曲折部を有する壁部と、該壁部の固定用床側支持部材に対し対向する面に設けられ、且つ前記固定用床側支持部材に対し側方から挿入されるようにした上下の水平壁部を備え、
しかも、挿入用床側支持部材の前記壁部には、上下の水平壁部の間に位置し、且つパネルの取外し時に挿入用床側支持部材を取外し得るよう、取外し用工具を係止させる孔を設けた
請求項５、６又は７に記載の間仕切り構造。
【請求項９】
端部のパネルの幅端部を支持するよう上下に延在する間仕切り用垂直部材側支持部材を備え、
該間仕切り用垂直部材側支持部材は、
固定用垂直部材側支持部と挿入用垂直部材側支持部材を備え、
固定用垂直部材側支持部材は、
垂直部材側に固定されると共に先端にパネル面側に向けて曲折された曲折部を有する壁部と、パネルの幅端部を支持するようにしたパネル端部支持部材を備え、
挿入用垂直部材側支持部材は、
先端にパネル面側に向け曲折されて挿入用垂直部材側支持部材の固定用垂直部材側支持部材に対する挿入時に、固定用垂直部材側支持部材の壁部の曲折部と協働してパネルを押圧、挟持し得るようにした曲折部を有する壁部と、該壁部の固定用垂直部材側支持部に対し対向する面に設けられ、且つ前記固定用垂直部材側支持部に対し側方から挿入されるようにした、パネル面に対し平行な方向へ所定の間隔で設けられた壁部を備え、
しかも、挿入用垂直部材側支持部材の先端に曲折部を有する前記壁部には、パネル面に対し平行な方向へ所定の間隔で設けられた壁部の間に位置し、且つパネルの取外し時に挿入用床側支持部材を取外し得るよう、取外し用工具を係止させる孔を設けた
請求項５、６、７又は８に記載の間仕切り構造。
【発明の詳細な説明】
【技術分野】
【０００１】
本発明は連結部材構造及び間仕切り構造に関するものである。
【背景技術】
【０００２】
従来、例えば、クリーンルームは、クリーンエアを確保するために、パネルを組付け形成した間仕切りにより区画されている。而して、パネルにより間仕切りを形成する場合には、一般的には、例えば天井側にアルミニウム製アングル材を取付けると共に、床側にアルミニウム製アングル材又はアルミニウム製チャンネル部材を取付け、パネル上下端部を夫々ビスにより前記アルミニウム製アングル材若しくはアルミニウム製チャンネル部材に止め付け、各所隙間は気密保持のため、シリコンシーラによりシールしている。又、隣合うパネル同士は、シリコンシーラ又はＨ型ジョイナにより、気密性を持たせて接合するようにしている。
【０００３】
ところが、上記間仕切りでは、設置の際にパネルをビス止めしたうえ、シーラによりシールするため、工数が多く掛り、シール処理の熟練度が要求されるため、工期短縮やコスト削減に対し大きな課題となっていた。又、近年、シリコンシーラからのガス発生が問題となっており、シリコンシーラを使用しない工法が要望されている。
【０００４】
斯かる課題を解決するために、本件出願人は、平成１４年６月２１日付けで間仕切り用金具及び間仕切りについて先行出願を行った。斯かる先行出願の例は図２３〜図２９に示されている。図中、１は天井側に取付けられてパネルＰの上端部を支持し得るようにした間仕切り用天井側支持部材、２は床側に取付けらてパネルＰの下端部を支持し得るようにした間仕切り用床側支持部材、３は柱や壁に取付けられて端部にあるパネルＰの側部を支持し得るようにした間仕切り用垂直部材側支持部材、４は面が平行となるよう直列的に配置されたパネルＰにおいて、隣合うパネルＰを連結するようセットされた横断面Ｈ型の縦向きの連結部材であり、間仕切り用天井側支持部材１、間仕切り用床側支持部材２、間仕切り用垂直部材側支持部材３、連結部材４、パネルＰにより間仕切りが形成されるようになっている。
【０００５】
間仕切り用天井側支持部材１、間仕切り用床側支持部材２、間仕切り用垂直部材側支持部材３、連結部材４は、何れもアルミニウムの押出し材又は引抜き材により構成される長尺の型成形材料であり、パネルＰは、２０ｍｍ〜４０ｍｍの心材の両面に薄いアルミニウム又はカラー鋼板で仕上げたサンドイッチ状の構造体である。
【０００６】
間仕切り用天井側支持部材１は、図２３に示すように水平方向へ延在しており、図２７に拡大して示すように、天井部に直接固設されるようにした基板１ａと、基板１ａのパネルＰ厚さ方向両端部において下方へ垂下し、且つ基板１ａの長手方向へ延在する壁部１ｂ，１ｃとを備えている。而して、基板１ａ及び壁部１ｂ，１ｃにより包囲された空間には、パネルＰの上端部を挿入し得るようにしたパネル挿入部５が形成されている。
【０００７】
壁部１ｂの鉛直方向長さは壁部１ｃよりも短く形成されて、壁部１ｂの下端は壁部１ｃの下端よりも上方に位置しており、パネルＰの上端を壁部１ｂ側からパネル挿入部５へ挿入する際に、パネルＰを円滑に挿入し得るようになっている。又、壁部１ｂ，１ｃの下端は互に近接する方向へ曲折されて曲折部１ｂ’，１ｃ’が形成され、曲折部１ｂ’，１ｃ’間の間隔は、パネルＰの厚さよりも僅かに小さく形成されている。更に、壁部１ｂの基端側内側には、パネルＰ上端部の挿入時に容易に広がり、且つパネルＰ上端部のパネル挿入部５への挿入後に元へ戻るよう変形しようとして、パネルＰに弾撥力を付与し得るよう、壁部１ｂの長手方向へ延在する切込み部６が形成されている。
【０００８】
而して、パネルＰの上端部を間仕切り用天井側支持部材１のパネル挿入部５に挿入した際に、パネルＰの上端部は、壁部１ｂ，１ｃ下端の曲折部１ｂ’，１ｃ’により押圧、挟持されるようになっている。
【０００９】
間仕切り用床側支持部材２は、図２３に示すように水平方向に延在し、図２８に拡大して示すように、組付ける前においては、固定用床側支持部材７と挿入用床側支持部材８とに分割されるようになっている。
【００１０】
固定用床側支持部材７は、水平方向へ延在すると共に床部に直接固設されるようにした基板７ａと、基板７ａのパネルＰ厚さ方向一端部において上方へ直立し、且つ基板７ａの長手方向へ延在する壁部７ｂと、基板７ａのパネルＰ厚さ方向中間部において上方へ直立すると共に上端部で直角に曲折して壁部７ｂから離反する方向へ水平に突出し、且つ基板７ａの長手方向へ延在する垂直断面形状が略逆Ｌ字型のパネル下端部支持部材７ｃとを備え、パネル下端部支持部材７ｃの上面によりパネルＰ下端部を支持し得るようになっている。又、基板７ａの、パネル下端部支持部材７ｃ基部接合部よりも壁部７ｂから離反した側の上面には、基板７ａの長手方向へ延在する突条部９が形成され、パネル下端部支持部材７ｃの水平部の下面には、基板７ａの長手方向へ延在する突条部１０が形成されている。
【００１１】
挿入用床側支持部材８は、水平方向へ延在し且つパネルＰ厚さ方向の幅が小さい基板８ａと、基板８ａの固定用床側支持部材７に近接した端部において上方へ直立し、且つ基板８ａの長手方向へ延在する壁部８ｂと、壁部８ｂの下端部の近傍において固定用床側支持部材７側に向いて水平に突出し、且つ基板８ａの長手方向へ延在する水平壁部８ｃと、壁部８ｂの高さ方向中途部において水平壁部８ｃの上部に水平に位置するよう形成され且つ基板８ａの長手方向へ延在する水平壁部８ｄとを備えている。又、水平壁部８ｃの壁部８ｂから離反した側の端部近傍下面には、基板８ａの長手方向へ延在する溝状部１１が形成され、水平壁部８ｄの壁部８ｂから離反した側の端部近傍上面には、基板８ａの長手方向へ延在する溝状部１２が形成されている。
【００１２】
壁部７ｂ，８ｂの上端には、固定用床側支持部材７に挿入用床側支持部材８を挿入して組付けた際に、互に近接する方向へ向くよう曲折された曲折部７ｂ’，８ｂ’が形成されると共に、壁部７ｂの上端側内側には、壁部７ｂの長手方向へ延在する切込み部１３が形成されている。
【００１３】
而して、パネルＰの下端を固定用床側支持部材７のパネル下端部支持部材７ｃに支持させ、挿入用床側支持部材８を固定用床側支持部材７に挿入すると、挿入用床側支持部材８の水平壁部８ｃ，８ｄは固定用床側支持部材７の基板７ａとパネル下端部支持部材７ｃとの間の隙間に入れ子状に挿入され、水平壁部８ｃは基板７ａの上面に位置して、溝状部１１が突条部９に嵌合し、水平壁部８ｄはパネル下端部支持部材７ｃの水平部の下面に位置して、溝状部１２が突条部１０に嵌合するようになっている。
【００１４】
壁部７ｂの上端内側には切込み１３が形成されており、挿入用床側支持部材８を固定用床側支持部材７に挿入すると、壁部７ｂはパネルＰに押圧されて容易に広がり、且つ元へ戻るよう変形しようとしてパネルＰに対し弾撥力を付与し得るようになっており、パネルＰの下端は、固定用床側支持部材７のパネル下端部支持部材７ｃに支持された状態で、壁部７ｂ，８ｂ上端部の曲折部７ｂ’，８ｂ’により押圧、挟持されるようになっている。
【００１５】
間仕切り用垂直部材側支持部材３は、図２３に示すように間仕切りの端部において上下方向に延在し、図２９に示すように、組付ける前においては、固定用垂直部材側支持部材１４と挿入用垂直部材側支持部材１５とに分割されるようになっている。
【００１６】
固定用垂直部材側支持部材１４は、上下方向へ延在すると共に垂直部材側に直接固設されるようにした基板１４ａと、基板１４ａのパネルＰ厚さ方向一端部において基板１４ａの面から離反する方向へ突出し、且つ基板１４ａの上下方向へ延在する壁部１４ｂと、基板１４ａのパネルＰ厚さ方向中間部において基板１４ａの面から離反する方向へ突出すると共に先端部で直角に曲折して壁部１４ｂから離反する方向へ突出し、且つ基板１４ａの長手方向へ延在する水平断面形状が略逆Ｌ字型のパネル端部支持部材１４ｃとを備え、パネル端部支持部材１４ｃの垂直端面によりパネルＰの水平方向一端部を支持し得るようになっている。
【００１７】
基板１４ａのパネル端部支持部材１４ｃ接合部と同一の面には、基板１４ａの上下方向へ延在する突条部１６が、パネル端部支持部材１４ｃ基部よりも壁部１４ｂから離反する側に位置するよう形成され、パネル端部支持部材１４ｃのパネルＰ端面に対する当接面の裏面には、基板１４ａの上下方向へ延在する突条部１７が形成されている。
【００１８】
挿入用垂直部材側支持部材１５は、上下方向へ延在し、且つパネルＰ厚さ方向の幅が小さい基板１５ａと、基板１５ａの壁部１４ｂに対向した端部において基板１５ａの面から離反する方向へ突出し、且つ基板１５ａの長手方向へ延在する壁部１５ｂと、壁部１５ｂ基部の近傍において壁部１５ｂに対し直交し、且つ壁部１４ｂへ向いた方向へ突出し、しかも基板１５ａの長手方向へ延在する壁部１５ｃと、壁部１５ｃからパネルＰの面方向へ所定距離離反した位置において壁部１５ｃと平行となるよう形成され、且つ基板１５ａの長手方向へ延在する壁部１５ｄとを備えている。
【００１９】
壁部１５ｃの壁部１５ｂから離反した側の端部近傍における壁部１５ｄとは反対側の面には、基板１５ａの長手方向へ延在する溝状部１８が形成され、壁部１５ｄの壁部１５ｂから離反した側の端部近傍における壁部１５ｃとは反対側の面には、基板１５ａの長手方向へ延在する溝状部１９が形成されている。
【００２０】
壁部１４ｂ，１５ｂの先端には、固定用垂直部材側支持部材１４に挿入用垂直部材側支持部材１５を挿入して組付けた際に、互に近接する方向へ向くよう曲折された曲折部１４ｂ’，１５ｂ’が形成されると共に、壁部１４ｂの先端側内側には、壁部１４ｂの長手方向へ延在する切込み２０が形成されている。
【００２１】
而して、パネルＰの幅方向一端部を固定用垂直部材側支持部材１４のパネル端部支持部材１４ｃの垂直面に支持させ、固定用垂直部材側支持部材１４に挿入用垂直部材側支持部材１５に挿入すると、挿入用垂直部材側支持部材１５の壁部１５ｃ，１５ｄは固定用垂直部材側支持部材１４の基板１４ａとパネル端部支持部材１４ｃとの間の隙間に入れ子状に挿入され、壁部１５ｃは基板１４ａの内面に位置して、溝状部１８が突条部１６に嵌合し、壁部１５ｄはパネル端部支持部材１４ｃの内面に位置して、溝状部１９が突条部１７に嵌合するようになっている。
【００２２】
壁部１４ｂの先端内側には切込み２０が形成されており、挿入用垂直部材側支持部材１５を固定用垂直部材側支持部材１４に挿入すると、壁部１４ｂはパネルＰに押圧されて容易に広がり、且つ元へ戻るよう変形しようとしてパネルＰに対し弾撥力を付与し得るようになっており、パネルＰの一端部は、固定用垂直部材側支持部材１４のパネル端部支持部材１４ｃに支持された状態で、壁部１４ｂ，１５ｂ先端部の曲折部１４ｂ’，１５ｂ’により押圧、挟持されるようになっている。
【００２３】
連結部材４は、図２３に示すように縦方向へ延在して間仕切り用天井側支持部材１と間仕切り用床側支持部材２との間に配置され、図２６に拡大して示すように、横断面Ｈ形状の部材であり、パネルＰの厚さ方向へ所定の間隔で対向配置されたフランジ４ａと両フランジ４ａを一体的に接続するよう配置されたウエブ４ｂにより包囲されて形成されるパネル挿入部２１にパネルＰの幅方向端部が挿入されるようになっている。
【００２４】
上記間仕切りにおいては、施行時には、例えば間仕切り用天井側支持部材１を天井に取付けると共に、間仕切り用床側支持部材２の固定用床側支持部材７を床側に取付け、且つ間仕切り用垂直部材側支持部材３の固定用垂直部材側支持部材１４を間仕切り用天井側支持部材１及び固定用床側支持部材７の長手方向一端に配設して垂直部材側に取付け、間仕切り用天井側支持部材１及び固定用床側支持部材７の長手方向一端側から、すなわち、間仕切り用垂直部材側支持部材３における固定用垂直部材側支持部材１４を設けた側から、パネルＰ、連結部材４、パネルＰ、連結部材４・・・を間仕切り用天井側支持部材１及び固定用床側支持部材７に順次組付け、間仕切り用床側支持部材２の挿入用床側支持部材８を固定用床側支持部材７に挿入し、間仕切り用垂直部材側支持部材３の挿入用垂直部材側支持部材１５を固定用垂直部材側支持部材１４に挿入するようにしている。
【００２５】
従って、上記先行出願の間仕切りにおいては、パネルＰをシール材、接着剤、固定ビス等を用いることなく簡単に構築することができ、このため、パネルＰの組付けを容易且つ迅速に行うことができて、間仕切りを短時間で設置することができるという利点がある。
【００２６】
上記先行出願の間仕切りに用いる連結部材以外の他の連結部材の例としては、特許文献１、特許文献２、特許文献３に示すようなものがある。
【００２７】
特許文献１は、パネルの縁を本体と押えの２ピースから成る連結部材で挟み込んで連結するパネル連結構造であり、押えの反り変形がなく、簡単にねじ止めしてパネルを連結することを目的としており、連結部材は、ねじ溝を形成した基部及び両当りを有する概略Ｔ型断面の本体と、中央に嵌合片を延ばした概略Ｔ型断面の押えとで構成し、嵌合片は、ねじ溝に嵌めると共に、嵌合片の切欠部にねじを挿入して螺合することで押えを取付け、固定するものである。
【００２８】
特許文献２は、一対の表面板間に芯材を充填したパネル同士の連結構造であって、パネルの連結に際し、方向性を生じず、一対のパネルを引き寄せ合うよう強固且つ正確に連結でき、両パネルを離隔させる力に対し十分抵抗できると共に、部分的なパネルの取り外しも容易にすることを目的としており、各パネルの連結側縁に沿って互いに先端が当接する当接部と、該当接部等の両側面に突設した係止片を有する枠材を配設し、且つ各係止片を互いに引き寄せる一対の係合片を有するコ字形枠を側方から嵌合したものである。
【００２９】
特許文献３は、クリーンルーム等を構成する間仕切りのパネル接合構造であって、コーキング材を使用しないで、より簡単な施工にて気密機能を果たし得るようにすることを目的としており、ペーパーコアの両面に表面材を貼着し、周囲には補強材を備えたパネルであり、このパネル側部の縦補強材には概略Ｌ型をしたジョイント部を中立面に対して対称に形成し、隣り合うパネルのジョイント部にて気密材を挟み込み、目地空間に嵌入した目地材の脚先端をジョイント部に係止させるようにしたものである。
【特許文献１】特開２００３−４１６９２号公報
【特許文献２】特開平１０−１８４４１号公報
【特許文献３】特開平１１−２１７８８５号公報
【発明の開示】
【発明が解決しようとする課題】
【００３０】
先行出願の間仕切りにおいては、間仕切りにより仕切られたクリーンルームを形成した後でクリーンルーム内に機器を搬入する等のために、部分的にあるパネルＰを脱着する必要がある場合に、図２６に示すように、パネルＰの面と平行な方向への連結部材４のずらし代Ｓが少ないため、部分的なパネルＰの脱着は困難であるという問題がある。
【００３１】
特許文献１においては、押えはねじにより略Ｔ型断面の本体に締結されて連結部材が構成されており、連結部材はねじを取外すことにより、押えと本体とに分解できる。このため、連結部材に挟み込まれている中間のパネルは取外したり、取付けたりすることができる。しかし、ねじを頻繁に脱着した場合には、徐々にねじの螺合が緩くなり、押えと本体の締結を強固に行うことが困難となる虞がある。又、パネルを取外す場合には、押えと本体はパネルの表側と裏側とに分解されるため、両側に作業員が必要となって省人化を図ることができず、更には、連結部材は別部品である押えと本体により構成されるため、部品点数が増加して管理に手間が掛りコストアップを招来する。
【００３２】
特許文献２においては、内部に気密材を収納したコ字形枠の表面片からパネル厚さ方向内側に向けて係合片を突出させ、該係合片と、パネルの端部に一体的に取付けられた枠材のリブ出しした係止片とを、互に引寄せるように係合させている。このため、コ字形枠を取外すことにより、中間のパネルを取外すことができる。しかし、コ字形枠はパネルの表裏両面において分解する必要があるため、この場合にも、両側に作業員が必要となって省人化を図ることができず、又、コ字形枠は２部品であるため、部品点数が増加して管理に手間が掛りコストアップを招来し、更には、コ字形枠の係合片は、前記係止片とパネル接合端部縁において上から下まで係合しているため、係合片が軟質の材質であっても、取外すのに非常に時間と労力を要する。
【００３３】
特許文献３においては、パネル端部に一体的に取付けた縦補強部材のリブ出ししたジョイント部の間に気密材を挟みこみ、目地材先端の係合片として機能する脚先端をジョイント部に係止させている。このため、目地材を取外すことにより、中間のパネルを取外すことができる。しかし、目地材はパネルの表裏両面において分解する必要があるため、この場合にも、両側に作業員が必要となって省人化を図ることができず、目地材は２部品であるため、部品点数が増加して管理に手間が掛りコストアップを招来し、更に、目地材脚先端はジョイント部に対し、パネル接合端部縁において上から下まで係合しているため、目地材が軟質の材質であっても、取外すのに非常に時間と労力を要する。
【００３４】
本発明は、斯かる実情に鑑み、間仕切りを組立てた後に、部分的にあるパネルをパネルの表側或いは裏側の一側から、多くの労力を要することなく、容易且つ迅速に脱着し得るようにすると共に、部品点数が少なく、管理が容易でコストダウンを図ることができ、更には、ねじ等の締結手段を不要としてパネルの支持を常に安定して行い得るようにした連結部材構造及び間仕切り構造を提供することを目的としてなしたものである。
【課題を解決するための手段】
【００３５】
手段１の連結部材構造は、パネルの幅端部をフランジとウエブにより形成されたパネル挿入部に挿入して隣合うパネルを連結し得るようにした横断面形状がＨ形状の連結部材において、該連結部材のフランジには、横断面視で前記ウエブと略平行な方向へ脱着可能なスペーサ部材を取付けて前記パネルの幅端部をパネル挿入部に挿入した際に、パネルの幅端部が前記スペーサ部材に当接或は近接し得るよう構成し、取外すべきパネルの幅端部が当接或は近接するように配置したスペーサ部材以外のスペーサ部材を取外した際には、該スペーサ部材を取外した連結部材におけるウエブとパネルの幅端部との間に、連結部材のずらし代が形成されるよう構成したものである。
【００３６】
手段２の連結部材構造は、パネルの幅端部をフランジとウエブにより形成されたパネル挿入部に挿入して隣合うパネルを連結し得るようにした横断面形状がＨ形状の連結部材において、該連結部材のフランジには、横断面視で前記ウエブと略平行な方向へ脱着可能なスペーサ部材を取付けて前記パネルの幅端部をパネル挿入部に挿入した際に、パネルの幅端部が前記スペーサ部材に当接或は近接し得るよう構成し、取外すべきパネルの幅端部が当接或は近接するように配置したスペーサ部材に対し連結部材のウエブを挟んで配置されたスペーサ部材を取外した際には、該スペーサ部材を取外した連結部材におけるウエブとパネルの幅端部との間に、連結部材のずらし代が形成されるよう構成したものである。
【００３７】
手段３の連結部材構造は、上下に分割された複数のパネルの上下端部をフランジとウエブにより形成されたパネル挿入部に挿入して上下に配置されたパネルを連結し得るようにした縦断面形状がＨ形状の連結部材において、該連結部材のフランジには、縦断面視で前記ウエブと略平行な方向へ脱着可能なスペーサ部材を取付けて前記パネルの上下端部をパネル挿入部に挿入した際に、パネルの上下端部が前記スペーサ部材に当接或は近接し得るよう構成し、取外すべき中間のパネルの上下部が当接或は近接するように配置したスペーサ部材に対し連結部材のウエブを挟んで配置されたスペーサ部材を取外した際には、該スペーサ部材を取外した連結部材におけるウエブと上部パネルの下端部及び下部のパネルの上端部との間に、連結部材のずらし代が形成されるよう構成したものである。
【００３８】
手段４の連結部材構造は、上下に複数に分割されたパネルの幅方向両側に位置する横断面がＨ形状の連結部材を、分割されたパネルの数量に合わせて上下に複数に分割したものである。
【００３９】
手段５の間仕切り構造は、パネルと該パネルに対し隣合うパネルを連結する、手段１又は２の連結部材構造を備えたものである。
【００４０】
手段６の間仕切り構造は、パネルと該パネルに対し上下に配置されたパネルを連結する、手段３又は４に記載の連結部材構造を備えたものである。
【００４１】
手段７の間仕切り構造は、パネルの上端部を支持するよう長手方向へ延在する間仕切り用天井側支持部材を備え、該間仕切り用天井側支持部材は、天井側に固定されると共に、パネルの厚さ方向両側に、下端にパネル面側に向けて曲折された曲折部を備えた壁部を備え、壁部間に形成されたパネル挿入部にパネルの上端を挿入した際に、前記曲折部によりパネルの上端部を押圧、挟持し得るよう構成したものである。
【００４２】
手段８の間仕切り構造は、
パネルの下端部を支持するよう長手方向へ所定の間隔で分割された複数の間仕切り用床側支持部材を備え、
該間仕切り用床側支持部材は、
固定用床側支持部材と挿入用床側支持部材を備え、
固定用床側支持部材は、
床側に固定されると共に上端にパネル面側に向けて曲折された曲折部を有する壁部と、パネルの下端を支持するようにしたパネル下端部支持部材を備え、
挿入用床側支持部材は、
上端にパネル面側に向けて曲折されて挿入用床側支持部材の固定用床側支持部材に対する挿入時に、固定用床側支持部材の壁部の曲折部と協働してパネルを押圧、挟持し得るようにした曲折部を有する壁部と、該壁部の固定用床側支持部材に対し対向する面に設けられ、且つ前記固定用床側支持部材に対し側方から挿入されるようにした上下の水平壁部を備え、
しかも、挿入用床側支持部材の前記壁部には、上下の水平壁部の間に位置し、且つパネルの取外し時に挿入用床側支持部材を取外し得るよう、取外し用工具を係止させる孔を設けたものである。
【００４３】
手段９の間仕切り構造は、
端部のパネルの幅端部を支持するよう上下に延在する間仕切り用垂直部材側支持部材を備え、
該間仕切り用垂直部材側支持部材は、
固定用垂直部材側支持部と挿入用垂直部材側支持部材を備え、
固定用垂直部材側支持部材は、
垂直部材側に固定されると共に先端にパネル面側に向けて曲折された曲折部を有する壁部と、パネルの幅端部を支持するようにしたパネル側端部支持部材を備え、
挿入用垂直部材側支持部材は、
先端にパネル面側に向け曲折されて挿入用垂直部材側支持部材の固定用垂直部材側支持部材に対する挿入時に、固定用垂直部材側支持部材の壁部の曲折部と協働してパネルを押圧、挟持し得るようにした曲折部を有する壁部と、該壁部の固定用垂直部材側支持部に対し対向する面に設けられ、且つ前記固定用垂直部材側支持部に対し側方から挿入されるようにした、パネル面に対し平行な方向へ所定の間隔で設けられた壁部を備え、
しかも、挿入用垂直部材側支持部材の先端に曲折部を有する前記壁部には、パネル面に対し平行な方向へ所定の間隔で設けられた壁部の間に位置し、且つパネルの取外し時に挿入用床側支持部材を取外し得るよう、取外し用工具を係止させる孔を設けたものである。
【発明の効果】
【００４４】
本発明の請求項１〜９に記載の連結部材構造及び間仕切り構造によれば、間仕切りを組立てた後に、中間部にあるパネルを該パネルの表側或いは裏側の一側から、多くの労力を要することなく、容易且つ迅速に脱着し得ると共に、連結部材は一体構成であるため、部品点数が少なく、管理が容易でコストダウンを図ることができ、更には、パネルの幅方向端部はボルトの外周面で支持され、ねじ等の締結手段が不要であるため、パネルの支持を常に安定して行うことができ、又、請求項３、４の連結部材構造や請求項３、４の連結部材構造を用いた間仕切り構造の場合には、より一層容易且つ迅速に所定のパネルの脱着を行うことができる。
【発明を実施するための最良の形態】
【００４５】
以下、本発明の実施の形態を添付図面を参照して説明する。
図１〜図１４は本発明の実施の形態の一例を示し、図中、図２３〜図２９に示すものと同一の部分は同一の符号を付してある。
而して、本図示例においては、連結部材４の対向配置されたフランジ４ａに、フランジ４ａ端面からパネルＰの幅方向へ所定の間隔を置いて、横断面視でウエブ４ｂと略平行となるよう、スペーサ部材として機能するボルト２２を、ウエブ４ｂを中心に左右２箇所、上下３箇所、合計６箇所取付け得るようになっている。
【００４６】
すなわち、フランジ４ａのうち、図１において手前側のフランジ４ａには、当該フランジ４ａを厚さ方向へ貫通してボルト挿通孔２３が穿設され、図１において奥側のフランジ４ａには、ボルト挿通孔２３に挿通されたボルト２２が螺合し得るようにしたねじ孔２４が、当該フランジ４ａを貫通するよう、螺設されている（図７、図９、図１０、図１３、図１４参照）。ボルト２２の手前側の端部には、レンチ等の工具挿入用の六角穴２２ａが形成されている。このようにすることにより、ボルト２２はその手前側から脱着することが可能である。なお、ボルト２２の上下方向の数量は複数なら何個でも良い。又、ボルト２２は、手前側の端部のみならず、その反対側の端部にも、レンチ等の工具挿入用の六角穴２２ａが形成され、ボルト２２の全長に渡りねじ孔２４に螺合するねじが切ってあり、ボルト挿通孔２３内面長よりねじの山同士の太さがわずかに細くなっている場合もある。この場合、手前側からは上記と変わらずボルト２２を脱着できるのみならず、反対側からもボルト２２を脱着することが可能である。
【００４７】
パネルＰのフランジ４ａとウエブ４ｂにより包囲されて形成されたパネル挿入部２１に挿入された端部は、ボルト２２の径方向外側に位置するようになっている。
【００４８】
間仕切り用床側支持部材２は、各パネルＰに対応して長手方向に分割し得るようになっており、分割された各間仕切り用床側支持部材２における挿入用床側支持部材８の長手方向両端部近傍には、取外し用の孔２５が、水平壁部８ｃと水平壁部８ｄ間において壁部８ｂを貫通するよう、水平に穿設されている（図１、図２、図３、図５参照）。
【００４９】
間仕切り用垂直部材側支持部材３における挿入用垂直部材側支持部材１５の上下方向端部近傍には、取外し用の孔２５が、壁部１５ｃと壁部１５ｄとの間において壁部１５ｂを貫通するよう、水平に穿設されている（図１、図４、図６参照）。
【００５０】
組立てられている間仕切りから中間部のパネルＰを脱着する場合の手順の一例を図８〜図１４をも参照しつつ説明する。
施行時には、パネルＰ及び連結部材４は、は前記先行出願のパネルＰ及び連結部材４と同様にして間仕切り用天井側支持部材１、間仕切り用床側支持部材２、間仕切り用垂直部材側支持部材３に組付けられるので説明は省略する。
【００５１】
図１〜図４に示すように組立てられている間仕切りにおいて中間部のパネルＰを取外す場合には、作業員は、取外すべき中間部のパネルＰが支持されている間仕切り用床側支持部材２における挿入用床側支持部材８の取外し用の孔２５に取外し用工具を挿入して係止させ、取外し工具を手前に引くことにより、当該挿入用床側支持部材８を、図８に示すように、固定用床側支持部材７から取外す。
【００５２】
挿入用床側支持部材８が固定用床側支持部材７から取外されたら、取外された挿入用床側支持部材８の長手方向両側に位置する連結部材４において、取外すべきパネルＰに並列された隣りのパネルＰを位置決めしているボルト２２を取外す（図９参照）。これにより、連結部材４のウエブ４ｂと取外すべきパネルＰに隣合うパネルＰとの間にずらし代Ｓ１が形成される。
【００５３】
次いで、ボルト２２を取外した連結部材４を、取外すべきパネルＰの幅端部から離反する方向へ、ウエブ４ｂが取外すべきパネルＰに隣合うパネルＰの幅端部に当接若しくは近接する位置まで移動させる。これにより、取外すべきパネルＰを位置決めしていたボルト２２は、当該パネルＰの幅端部から離反し、移動された連結部材４のフランジ４ａ端部と当該パネルＰの幅端部との間には、Ｃ１の隙間が形成される（図１０参照）。
【００５４】
取外すべきパネルＰと連結部材４のフランジ４ａとの間に隙間Ｃ１が形成されたら、作業員は、パネルＰの下端を若干固定用床側支持部材７のパネル下端部支持部材７ｃから浮上させて、パネルＰの下側を手前に引き、パネルＰの下端がパネル下端部支持部材７ｃから離反したら（図１１参照）、パネルＰを下方へ引き、パネルＰの上端部を間仕切り用天井側支持部材１のパネル挿入部５から離脱させる。これにより、間仕切りの中間部にあるパネルＰを容易且つ迅速に取外すことができる（図１２参照）。
【００５５】
中間部にパネルＰを取付ける場合の手順は取外す場合の手順と逆となる。すなわち、図１０に示すように、パネルＰを取付けるべき箇所における連結部材４を、取付けるべきパネルＰに隣合うパネルＰの幅端部側に寄せておき、パネルＰを図１２、図１１を経て間仕切り用天井側支持部材１及び間仕切り用床側支持部材２の固定用床側支持部材７に嵌込む。この際、パネルＰの上端は間仕切り用天井側支持部材１のパネル挿入部５に挿入され、パネルＰの下端は間仕切り用床側支持部材２における固定用床側支持部材７のパネル下端部支持部材７ｃ上面に支持される。
【００５６】
パネルＰが間仕切り用天井側支持部材１及び間仕切り用床側支持部材２の固定用床側支持部材７に嵌込まれたら、嵌込まれたパネルＰの幅方向両側に位置する連結部材４を、連結部材４に取付けられているボルト２２がパネルＰの幅端に当接若しくは近接するまで寄せ（図１０、図９参照）、当該連結部材４の嵌込まれたパネルＰを位置決めするボルト２２の取付け側とはウエブ４ｂを挟んで反対側のボルト挿通孔２３にボルト２２を挿通させ、先端ねじ部をねじ孔２４に螺合させる。
【００５７】
而して、連結部材４にボルト２２が取付けられたら、挿入用床側支持部材８の水平壁部８ｃ，８ｄを、嵌込まれたパネルＰの下端を支持する固定用床側支持部材７の前側面から基板７ａとパネル下端部支持部材７ｃ水平部との間に所定位置まで挿入する。これにより、パネルＰの取付けは終了し、間仕切りの中間部にパネルＰを容易且つ迅速に取付けることができる。
【００５８】
間仕切りの端部に位置するパネルＰを取外す場合には、図８に示すように、前述と同様にして、間仕切り用床側支持部材２における挿入用床側支持部材８を取外すと共に、図１３に示すように、間仕切り用垂直部材側支持部材３の挿入用垂直部材側支持部材１５を取外し用の孔２６に取外し用工具を挿入、係止させ、取外し工具を手前に引くことにより、固定用垂直部材側支持部材１４から取外し、間仕切り端部のパネルＰに隣設されたパネルＰを位置決めするボルト２２を取外す。これにより、取外すべきパネルＰが支持された連結部材４のウエブ４ｂと取外すべきパネルＰに隣合うパネルＰとの間に、図１３に示すようにずらし代Ｓ２が形成される。
【００５９】
次いで、ボルト２２を取外した連結部材４を、間仕切り端部のパネルＰの幅端部から離反する方向へ、ウエブ４ｂが端部のパネルＰに隣合うパネルＰの幅端部に当接若しくは近接する位置まで移動させる。これにより、端部のパネルＰを位置決めしていたボルト２２は、当該パネルＰの幅端部から離反し、移動された連結部材４のフランジ４ａ端部と当該パネルＰの幅端部との間には、Ｃ２の隙間が形成される（図１４参照）。
【００６０】
端部のパネルＰと連結部材４のフランジ４ａとの間に隙間Ｃ２が形成されたら、作業員は、パネルＰの下端を若干固定用床側支持部材７のパネル下端部支持部材７ｃから浮上させると共に、パネルＰの固定用垂直部材側支持部材１４におけるパネル端部支持部材１４ｃ側端部をパネル端部支持部材１４ｃから僅かに離反させ、パネルＰの下側を手前に引き、パネルＰの下端がパネル下端部支持部材７ｃから離反し、且つパネルＰの幅端部がパネル端部支持部材１４ｃから離反したら、パネルＰを下方へ引き、パネルＰの上端部を間仕切り用天井側支持部材１のパネル挿入部５から離脱させる。これにより、間仕切り端部にあるパネルＰを容易且つ迅速に取外すことができる。
【００６１】
間仕切り端部においてパネルＰを取付ける場合の手順は、取外す場合の手順と逆になる。すなわち、最も間仕切り用垂直部材側支持部材３に近い連結部材４を、取付けるべき端部のパネルＰに隣合うパネルＰの幅端部側に寄せておき、パネルＰを間仕切り用天井側支持部材１及び間仕切り用床側支持部材２の固定用床側支持部材７並びに間仕切り用垂直部材側支持部材３の固定用垂直部材側支持部材１４に嵌込む。この際、パネルＰの上端は間仕切り用天井側支持部材１のパネル挿入部５に挿入され、パネルＰの下端は間仕切り用床側支持部材２における固定用床側支持部材７のパネル下端部支持部材７ｃ上面に支持され、パネルＰの間仕切り用垂直部材側支持部材３側幅端部は、間仕切り用垂直部材側支持部材３における固定用垂直部材側支持部材１４のパネル端部支持部材１４ｃに支持される。
【００６２】
パネルＰが間仕切り用天井側支持部材１及び間仕切り用床側支持部材２の固定用床側支持部材７並びに間仕切り用垂直部材側支持部材３の固定用垂直部材側支持部材１４に嵌込まれたら、嵌込まれたパネルＰの幅方向一側に位置する連結部材４を、連結部材４に取付けられているボルト２２がパネルＰの幅端に当接若しくは近接するまで寄せ、当該連結部材４の嵌込まれたパネルＰを位置決めするボルト２２の取付け側とはウエブ４ｂを挟んで反対側のボルト挿通孔２３にボルト２２を挿通させ、先端ねじ部をねじ孔２４に螺合させる。
【００６３】
而して、連結部材４にボルト２２が取付けられたら、嵌込まれたパネルＰの下端を支持する固定用床側支持部材７の前側面から挿入用床側支持部材８を所定位置まで挿入すると共に、固定用垂直部材側支持部材１４の前側面から挿入用垂直部材側支持部材１５を所定位置に挿入する。これにより、端部のパネルＰの取付けは終了し、間仕切り端部においても、パネルＰを容易且つ迅速に取付けることができる。
【００６４】
本図示例によれば、間仕切りを組立てた後に、中間部にあるパネルＰをパネルＰの表側或いは裏側の一側から、多くの労力を要することなく、容易且つ迅速に脱着し得ると共に、連結部材４は一体構成であるため、部品点数が少なく、管理が容易でコストダウンを図ることができ、更には、パネルＰの幅方向端部はボルト２２の外周面で支持され、ねじ等の締結手段が不要であるため、パネルＰの支持を常に安定して行うことができる。
【００６５】
図１５〜図１９は本発明の実施の形態の他の例で、図中、図１〜図１４に示すものと同一の部分には同一の符号が付してある。而して、本図示例の特徴部分は、縦向きの連結部材４，４間に設置された１枚のパネルＰを上下３段に分割してパネルＰ１，Ｐ２，Ｐ３とし、上部のパネルＰ１と中間のパネルＰ２及び、中間のパネルＰ２と下部のパネルＰ３を夫々、縦向きの連結部材４と略同一構成の水平配置された連結部材３１により連結し、必要な場合には、中間のパネルＰ２を取外し得るようにしたことである。
【００６６】
すなわち、本図示例においては、連結部材３１は、パネルＰ１，Ｐ２，Ｐ３の厚さ方向両側に対向して位置するようにした縦向きのフランジ３１ａと、両フランジ３１ａを一体的に連結するよう水平配置されたウエブ３１ｂを備えて縦断面視でＨ形状に形成されている。又、フランジ３１ａの上下端面から下方及び上方に所定の間隔を置いて、ウエブ３１ｂと略平行で且つ一方のフランジ３１ａから他方のフランジ３１ａ側へ延在するよう、スペーサ部材として機能するボルト３２が配置されている。ボルト３２は、ウエブ３１ｂを中心に上下２箇所、左右２箇所、合計４箇所配置されるようになっている。
【００６７】
フランジ３１ａのうち、図１５において手前側、図１７において左側のフランジ３１ａには、当該フランジ３１ａを厚さ方向へ貫通してボルト挿通孔３３が穿設され、図１５において奥側のフランジ３１ａ、図１７において右側のフランジ３１ａには、ボルト挿通孔３３に挿通されたボルト３２が螺合し得るようにしたねじ孔３４が、当該フランジ３１ａを貫通するよう、螺設されている。ボルト３２の手前側の端部には、レンチ等の工具挿入用の六角穴３２ａが形成されている。このようにすることにより、ボルト３２はその手前側から脱着することが可能である。なお、１本の連結部材３１に対するボルト３２の連結部材３１長手方向の数量は複数なら何個でも良い。又、ボルト３２は、手前側の端部のみならず、その反対側の端部にも、レンチ等の工具挿入用の六角穴３２ａが形成され、ボルト３２の全長に渡りねじ孔３４に螺合するねじが切ってあり、ボルト挿通孔３３内面長よりねじの山同士の太さがわずかに細くなっている場合もある。この場合、手前側からは上記と変わらずボルト３２を脱着できるのみならず、反対側からもボルト３２を脱着することが可能である。
【００６８】
フランジ３１ａとウエブ３１ｂにより包囲されて形成されているパネル挿入部３５に挿入された、パネルＰ１，Ｐ２，Ｐ３の端部は、ウエブ３１ｂを基準として連結部材３１にセットされたボルト３２の径方向外側に位置するようになっている。すなわち、例えばパネルＰ１の下端はボルト３２の外周上端に当接し、パネルＰ２の上端はボルト３２の外周下端に当接し得るようになっている。図中、３６は間仕切り用天井側支持部材１の壁部１ｂに水平に螺着されて、パネルＰ２を取外す際にパネルＰ１が落下するのを防止するための落下防止ボルトである。
【００６９】
図１５に示すごとく、隣合う連結部材４，４間に上下に３枚に分割されて組立てられているパネルＰ１，Ｐ２，Ｐ３から中間部のパネルＰ２を取外す場合の手順を、図９、図１０をも参照しつつ説明する。なお、図１５〜図１９の図示例においては、間仕切り用床側支持部材２の挿入用床側支持部材８を取外す必要はない。
【００７０】
すなわちパネルＰ２を取外す場合には、先ず、パネルＰ１，Ｐ２，Ｐ３の幅方向両側が支持されている縦向きの連結部材４において、パネルＰ１，Ｐ２，Ｐ３を支持しているボルト２２にウエブ４ｂを挟んで配置されている隣合うボルト２２を抜取る。そうすると、パネルＰ１，Ｐ２，Ｐ３に隣接して配置されているパネルＰと、当該連結部材４のウエブ４ｂとの間に、ずらし代Ｓ１が形成される（図９参照）。次いで、ボルト２２の抜取られた連結部材４を、パネルＰ１，Ｐ２，Ｐ３の幅方向両側から離反する方向へ寄せ、パネルＰ１，Ｐ２，Ｐ３の幅方向両側に隙間Ｃ１を形成させる（図１０参照）。
【００７１】
次に、連結部材３１において、パネルＰ１の下端部及びパネルＰ３の上端部を支持しているボルト３２を取外す。これにより、連結部材３１とパネルＰ１，Ｐ３との間にずらし代Ｓ３が形成される（図１８参照）。
【００７２】
次いで、ボルト３２を取外した連結部材３１を、取外すべきパネルＰ２の上下端部から離反する方向、すなわち、上部の連結部材３１は上方へ、下部の連結部材３１は下方へ、各連結部材３１のウエブ３１ｂが上方のパネルＰ１の下端部、及び下方のパネルＰ３の上端部に当接若しくは近接する位置まで上昇及び下降させる。これにより、取外すべきパネルＰ２を支持していたボルト３２は、当該パネルＰ２の上下端部から離反し、上昇及び下降された連結部材３１のフランジ３１ａ下端部及び上端部とパネルＰ２の上端部及び下端部との間には、Ｃ３の隙間が形成される（図１９参照）。なお、上方の連結部材３１は落下しないよう何等かの手段で押えておく必要がある。
【００７３】
パネルＰ１，Ｐ２，Ｐ３の幅方向両側と連結部材４のフランジ４ａとの間に隙間Ｃ１が形成され、パネルＰ２の上下端部と連結部材３１のフランジ３１ａとの間に隙間Ｃ３が形成されたら、作業員はボルト３２を抜いた方向と同一方向へパネルＰ２を取外す。取外したパネルＰ２を取付ける場合の手順は、取外す場合と逆になる。なお、パネルＰ１，Ｐ２，Ｐ３の全てを取外す場合には、前記図示例と同様、間仕切り用床側支持部材２の挿入用床側支持部材８を取外して作業を行う。
【００７４】
本図示例によれば、上記図示例の場合と同様の作用効果を奏し得るうえ、小さく分割したパネルＰ２を取外すようにしているため、パネルＰ２の取外し時に間仕切り用床側支持部材２の挿入用床側支持部材８を取外す必要がなく、より一層迅速に作業を行うことができる。
【００７５】
図２０〜図２２は本発明の実施の形態の更に他の例で、図中、図１５〜図１９に示すものと同一の部分には同一の符号が付してある。本図示例の特徴部分は、縦向きの連結部材４，４間に設置された１枚のパネルＰを上下３段に分割してパネルＰ１，Ｐ２，Ｐ３とし、上部のパネルＰ１と中間のパネルＰ２及び、中間のパネルＰ２と下部のパネルＰ３を夫々、縦向きの連結部材４と略同一構成の水平配置された連結部材３１により連結し、又、パネルＰ１，Ｐ２，Ｐ３の両側の連結部材４をパネルＰ１，Ｐ２，Ｐ３に合わせ上下に３分割して連結部材４−１，４−２，４−３とし、必要な場合には、中間の連結部材４−２をパネルＰ１，Ｐ２，Ｐ３から離反する側へ寄せ、パネルＰ２上部の連結部材３１を上昇させ、パネルＰ２下部の連結部材３１を下降させ、而して、中間のパネルＰ２を取外し得るようにしたことである。連結部材４−１，４−２，４−３の分割位置は、連結部材３１の高さ方向中間位置とする。
【００７６】
パネルＰ２を取外す場合の手順は、先ず、図２１に示すように、連結部材４−２をパネルＰ２から離反させて隙間Ｃ１を形成させ、図２２に示すように、連結部材３１をパネルＰ２の上方及び下方に上昇及び下降させて同様に隙間Ｃ３を形成させたうえ、パネルＰ２を取外す。この際の詳細な手順は上記各図示例に準じて行うため、詳細な説明は省略する。なお、パネルＰ１，Ｐ２，Ｐ３の全てを取外す場合には、前記図示例と同様、間仕切り用床側支持部材２の挿入用床側支持部材８を取外したうえ、連結部材４−１，４−２，４−３をパネルＰ１，Ｐ２，Ｐ３から離反するよう寄せて作業を行う。
【００７７】
本図示例によれば、前述の各図示例と同様の作用効果を奏し得る他、縦向きの連結部材４−１，４−２，４−３のうち、連結部材４−２のみをパネルＰ２から離反するよう寄せれば良いため、前記各図示例よりもより一層迅速に作業を行うことができる。
【００７８】
なお、本発明の連結部材構造及び間仕切り構造においては、間仕切りの長手方向中間部では、取外すべきパネルの幅方向両側に位置する連結部材を取外すべきパネルに隣設されたパネル側に寄せる場合について説明したが、当該連結部材を寄せるだけでは、取外すべきパネルの幅端部と連結部材のフランジ端部との間に隙間が形成されない場合には、更に次の連結部材を取外すべきパネルから離反する側に寄せるようにしても実施することができること、取外すべきパネルを位置決めする片側の連結部材を寄せるだけで取外すべきパネルの幅端部と連結部材のフランジ端部との間に隙間が形成される場合には、片側の連結部材のみを取外すべきパネルから離反する側へ寄せるようにしても実施できること、間仕切り端部では、取外すべき端部のパネルの幅方向一側に位置する連結部材を端部のパネルに隣設されたパネル側に寄せる場合について説明したが、当該連結部材を寄せるだけでは、取外すべき端部のパネルの幅端部と連結部材のフランジ端部との間に隙間が形成されない場合には、更に次の連結部材を端部のパネルから離反する側に寄せるようにしても実施することができること、その他、本発明の要旨を逸脱しない範囲内において種々変更を加え得ることは勿論である。
【図面の簡単な説明】
【００７９】
【図１】本発明に適用する連結部材を用いた間仕切りの一例の正面図である。
【図２】図１のＩＩ−ＩＩ方向矢視図である。
【図３】図１のＩＩＩ−ＩＩＩ方向矢視図である。
【図４】図１のＩＶ−ＩＶ方向矢視図である。
【図５】図１に示す間仕切り用床側支持部材の拡大断面図である。
【図６】図１に示す間仕切り用垂直部材側支持部材の拡大縦断面図である。
【図７】図１に示す連結部材の拡大縦断面図である。
【図８】図１に示す間仕切りから間仕切り用床側支持部材の挿入用床側支持部材を取外した状態を示す縦断面図である。
【図９】図１に示す間仕切りに示す連結部材からボルトを取外した状態を示す横断面図である。
【図１０】図１に示す間仕切りにおいて、ボルトを取外した連結部材を隣設するパネル側に寄せた状態を示す横断面図である。
【図１１】図１に示す間仕切りにおいて、パネル下端を固定用床側支持部材から取外した状態を示す縦断面図である。
【図１２】図１１に示す状態からパネル上端を間仕切り用天井側支持部材のパネル挿入部から下方へ引出した状態を示す縦断面図である。
【図１３】図１に示す間仕切りにおいて、端部のパネルから間仕切り用垂直部材側支持部材の固定用垂直部材側支持部材を取外すと共に、端部のパネルに隣合うパネルを位置決めしているボルトを取外した状態を示す横断面図である。
【図１４】図１３においてボルトを取外した連結部材を端部のパネルに隣合うパネルの幅端部側に寄せた状態を示す横断面図である。
【図１５】本発明に適用する連結部材を用いた間仕切りの他の例の正面図である。
【図１６】図１５のＸＶＩ−ＸＶＩ方向矢視図である。
【図１７】図１６のＸＶＩＩ部拡大図である。
【図１８】図１５に示す間仕切りにおいて、上下方向の中間部にあるパネルを取外すためにボルトを取外した状態を示す断面図である。
【図１９】図１５に示す間仕切りにおいて、上下方向の中間部にあるパネルを取外すために水平配置された連結部材を上下に昇降させた状態を示す断面図である。
【図２０】本発明に適用する連結部材を用いた間仕切りの更に他の例の正面図である。
【図２１】図２１の間仕切りにおいて、分割した縦向きの連結部材のうち、中間部の連結部材をパネルの幅方向両端部から離反させた状態を示す正面図である。
【図２２】図２１の間仕切りにおいて、分割した縦向きの連結部材のうち、中間部の連結部材をパネルの幅方向両端部から離反させ、水平な連結部材のうち、上部の連結部材を中間のパネルの上方へ移動させ、下部の連結部材を中間のパネルの下方へ移動させた状態を示す正面図である。
【図２３】先行出願に開示された間仕切りの正面図である。
【図２４】図２３のＸＸＩＶ−ＸＸＩＶ方向矢視拡大図である。
【図２５】図２３のＸＸＶ−ＸＸＶ方向矢視拡大図である。
【図２６】図２３のＸＸＶＩ−ＸＸＶＩ方向矢視拡大図である。
【図２７】図２３に示す間仕切りにおける間仕切り用天井側支持部材を示す拡大縦断面図である。
【図２８】図２３に示す間仕切りにおける間仕切り用床側支持部材を示す拡大縦断面図である。
【図２９】図２３に示す間仕切りにおける間仕切り用垂直部材側支持部材を示す拡大縦断面図である。
【符号の説明】
【００８０】
１  間仕切り用天井側支持部材
１ｂ        壁部
１ｂ’      曲折部
１ｃ        壁部
１ｃ’      曲折部
２  間仕切り用床側支持部材
３  間仕切り用垂直部材側支持部材
４  連結部材
４−１      連結部材
４−２      連結部材
４−３      連結部材
４ａ        フランジ
４ｂ        ウエブ
７  固定用床側支持部材
７ｂ        壁部
７ｂ’      曲折部
７ｃ        パネル下端部支持部材
８  挿入用床側支持部材
８ｂ        壁部
８ｂ’      曲折部
８ｃ        水平壁部
８ｄ        水平壁部
１４  固定用垂直部材側支持部材
１４ｂ        壁部
１４ｂ’      曲折部
１４ｃ        パネル端部支持部材
１５  挿入用垂直部材側支持部材
１５ｂ        壁部
１５ｂ’      曲折部
１５ｃ        壁部
１５ｄ        壁部
２１  パネル挿入部
２２  ボルト（スペーサ部材）
２５  孔
２６  孔
３１  連結部材
３１ａ        フランジ
３１ｂ        ウエブ
３２  ボルト（スペーサ部材）
Ｐ  パネル
Ｐ１        パネル
Ｐ２        パネル
Ｐ３        パネル
Ｓ１  ずらし代
Ｓ２  ずらし代
Ｓ３  ずらし代
【図１】
2005042427.tif 000003
【図２】
2005042427.tif 000004
【図３】
2005042427.tif 000005
【図４】
2005042427.tif 000006
【図５】
2005042427.tif 000007
【図６】
2005042427.tif 000008
【図７】
2005042427.tif 000009
【図８】
2005042427.tif 000010
【図９】
2005042427.tif 000011
【図１０】
2005042427.tif 000012
【図１１】
2005042427.tif 000013
【図１２】
2005042427.tif 000014
【図１３】
2005042427.tif 000015
【図１４】
2005042427.tif 000016
【図１５】
2005042427.tif 000017
【図１６】
2005042427.tif 000018
【図１７】
2005042427.tif 000019
【図１８】
2005042427.tif 000020
【図１９】
2005042427.tif 000021
【図２０】
2005042427.tif 000022
【図２１】
2005042427.tif 000023
【図２２】
2005042427.tif 000024
【図２３】
2005042427.tif 000025
【図２４】
2005042427.tif 000026
【図２５】
2005042427.tif 000027
【図２６】
2005042427.tif 000028
【図２７】
2005042427.tif 000029
【図２８】
2005042427.tif 000030
【図２９】
2005042427.tif 000031